(57)【要約】      （修正有）【課題】運動器具を提供する。【解決手段】運動器具は、スライドレール２００と、固定孔と枢着部を含み、スライドレール２００において往復変位するように制限されているスライダー３００と、複数の位置決め孔、回転軸、及び仮想延長線を有し、スライダー３００を連動させ、枢着部が回転軸に枢着されており、仮想延長線が回転軸と垂直であり且つスライドレールの延長方向と交差して夾角をなす回転摺動部材４００と、位置決め孔と固定孔を貫通し、回転摺動部材をスライドレールに沿って夾角で傾斜させて位置決めするリミッター５００と、を備える。それにより、リミッターによって所定の位置における位置決め孔と固定孔を貫通し、回転摺動部材を安定して傾斜位置決めする。弧状レールとリミッターとの係合によって、回転摺動部材を自由に揺動させることができる。【選択図】図２Ｂ
0003205933.tif 000002
【実用新案登録請求の範囲】
【請求項１】
スライドレールと、
少なくとも固定孔と枢着部を含み、前記スライドレールにおいて往復変位するように制限されているスライダーと、
センタリング位置決め孔、複数の傾斜位置決め孔、回転軸、及び仮想延長線を有し、前記スライダーを連動させ、前記枢着部が前記回転軸に枢着されており、前記仮想延長線が前記回転軸と垂直であり且つ前記センタリング位置決め孔と交差し、前記傾斜位置決め孔と前記回転軸とを繋ぐ線が前記仮想延長線と交差して夾角をなす回転摺動部材と、
前記傾斜位置決め孔と前記固定孔を貫通し、前記回転摺動部材を前記スライドレールに沿って前記夾角で傾斜させて位置決めするリミッターと、
を備える運動器具。
【請求項２】
前記夾角は、０°より大きく４０°以下である請求項１に記載の運動器具。
【請求項３】
前記スライドレールは、レール間隔離れるように平行に配列された２つのスライドロッドを含み、
前記枢着部は、２つの前記スライドロッドの間に設けられており、中空の円筒状であり且つ外径が前記レール間隔より小さく形成されており、
前記回転軸は、円筒状であり且つ外径が前記枢着部の内径より小さく形成されている請求項１に記載の運動器具。
【請求項４】
前記スライダーは、
前記枢着部に接続されており、前記固定孔が開けられている頂部と、
それぞれ前記頂部の対向する両側に接続されている２つの斜め部と、
それぞれラグ孔を有し、それぞれ２つの前記斜め部に突出し対応している２つのラグ部と、
２つの前記ラグ孔を貫通し、前記頂部、２つの前記斜め部及び２つの前記ラグ部と共に開口となるように取り囲み、２つの前記スライドロッドが前記開口内に穿設されているラグ連結ロッドと、
を更に含む請求項３に記載の運動器具。
【請求項５】
前記スライダーは、
それぞれ２つの前記斜め部に枢設されており、且つ前記スライダーを前記スライドレールに沿ってスライドさせるように、それぞれ２つの前記スライドロッドにおいて転がる少なくとも２つの斜め軸受を更に含む請求項４に記載の運動器具。
【請求項６】
前記スライダーは、
同軸で前記ラグ連結ロッドに枢設されており、且つ前記スライダーを前記スライドレールに沿って安定してスライドさせるように、それぞれ２つの前記スライドロッドにおいて転がる少なくとも２つの縦方向軸受を更に含む請求項４に記載の運動器具。
【請求項７】
スライドレールと、
位置決め座用の固定孔を有し、且つ枢着部から位置決め座間隔離れている位置決め座と、固定孔と、枢着部と、を含み、前記スライドレールにおいて往復変位するように制限されているスライダーと、
センタリング位置決め孔、複数の傾斜位置決め孔、弧状レール、回転軸及び仮想延長線を含み、前記スライダーを連動させ、前記弧状レールが前記回転軸に対応し且つ前記回転軸から円弧半径離れており、前記円弧半径が前記位置決め座間隔と同じであり、前記弧状レールが前記位置決め座用の固定孔に対応し、前記枢着部が前記回転軸に枢着されており、前記仮想延長線が前記回転軸と垂直であり且つ前記センタリング位置決め孔と交差し、前記傾斜位置決め孔と前記回転軸とを繋ぐ線が前記仮想延長線と交差して夾角をなす回転摺動部材と、
前記回転摺動部材が前記スライダーにおいて円弧揺動するように制限し、前記弧状レールと前記位置決め座用の固定孔を貫通するリミッターと、
を備える運動器具。
【請求項８】
前記位置決め座は、前記位置決め座用の固定孔の深さに対応する位置決め座厚みを更に有する請求項７に記載の運動器具。
【請求項９】
前記回転摺動部材は、前記スライダーに対して、時計回り方向又は反時計回り方向の円弧揺動を行い、円弧揺動の角度が０°より大きく８０°以下であり、前記夾角が０°より大きく４０°以下である請求項７に記載の運動器具。
【請求項１０】
前記スライドレールは、レール間隔離れるように平行に配列された２つのスライドロッドを有し、
前記枢着部は、２つの前記スライドロッドの間に設けられており、中空の円筒状であり且つ外径が前記レール間隔より小さく形成されており、
前記回転軸は、円筒状であり且つ外径が前記枢着部の内径より小さく形成されている請求項７に記載の運動器具。
【請求項１１】
前記スライダーは、
前記枢着部に接続されており、前記固定孔が開けられている頂部と、
それぞれ前記頂部の対向する両側に接続されている２つの斜め部と、
それぞれラグ孔を有し、それぞれ２つの前記斜め部に突出し対応している２つのラグ部と、
２つの前記ラグ孔を貫通し、前記頂部、２つの前記斜め部及び２つの前記ラグ部と共に開口となるように取り囲み、２つの前記スライドロッドが前記開口内に穿設されているラグ連結ロッドと、
を更に含む請求項１０に記載の運動器具。
【請求項１２】
前記スライダーは、
それぞれ２つの前記斜め部に枢設されており、且つ前記スライダーを前記スライドレールに沿ってスライドさせるように、それぞれ２つの前記スライドロッドにおいて転がる少なくとも２つの斜め軸受を更に含む請求項１１に記載の運動器具。
【請求項１３】
前記スライダーは、
同軸で前記ラグ連結ロッドに枢設されており、且つ前記スライダーを前記スライドレールに沿って安定してスライドさせるように、それぞれ２つの前記スライドロッドにおいて転がる少なくとも２つの縦方向軸受を更に含む請求項１１に記載の運動器具。
【考案の詳細な説明】
【技術分野】
【０００１】
本考案は、運動器具に関し、特に、傾斜位置決め可能で且つ自由に円弧揺動できる運動器具に関する。
【背景技術】
【０００２】
現代人は、生活が忙しく、一般的に、帰宅した後で戸外運動をする時間があまりなく、且つ天気が悪くなると、選択可能な運動方式が全くないことがある。そのため、市場では、室内で利用可能な数多くの様々な運動器具が開発されており、家、トレーニングセンター又はトレーニングルームに置かれて、使用者の運動トレーニングに用いられる。
【０００３】
従来から、アーム、腰部及び腹部を鍛える運動器具としては、スライドレール、スライダー及びリミッターを備える。単一方向への往復変位によって、運動トレーニングの効果を達成する。しかしながら、このような運動器具では、体の単一部位の筋群しか鍛えないので、現代人の需要を満たすことができない。また、ある運動器具は、操作範囲が広く設計されたとはいえ、操作しにくいことがよくある。更に、このような運動器具は、重心が高過ぎ、且つ操作範囲を任意に調整できないため、使用時に肉離れ、捻挫又は倒れのような運動傷害を引き起こしやすい。
【０００４】
以上から分かるように、現在、市場では、実用的で、操作が簡単で、安全性が高く、自由に揺動又は位置決めすることができる運動器具がまだないため、関連業者はその解決方法を求めている。
【考案の概要】
【考案が解決しようとする課題】
【０００５】
本考案は、先行技術で円弧揺動角度が大き過ぎて負傷しやすく及び重心が高過ぎて使用上の安定性及び安全性に影響を与えるという問題を解決するための運動器具を提供する。
【課題を解決するための手段】
【０００６】
本考案の実施形態によれば、スライドレールと、固定孔と枢着部を含み、スライドレールにおいて往復変位するように制限されているスライダーと、センタリング位置決め孔、複数の傾斜位置決め孔、回転軸及び仮想延長線を有し、スライダーを連動させ、枢着部が回転軸に枢着されており、仮想延長線が回転軸と垂直であり且つセンタリング位置決め孔と交差し、傾斜位置決め孔と回転軸とを繋ぐ線が仮想延長線と交差して夾角をなす回転摺動部材と、傾斜位置決め孔と固定孔を貫通し、回転摺動部材をスライドレールに沿って夾角で傾斜させて位置決めするリミッターと、を備える運動器具を提供する。
【０００７】
本考案の一実施形態の一実施例によれば、前記夾角は、０°より大きく４０°以下であってよい。
【０００８】
本考案の一実施形態の一実施例によれば、前記スライドレールは、レール間隔離れるように平行に配列された２つのスライドロッドを含み、枢着部は、２つのスライドロッドの間に設けられており、中空の円筒状であり且つ外径がレール間隔より小さいく形成されており、回転軸は、円筒状であり且つ外径が枢着部の内径より小さく形成されている。
【０００９】
本考案の一実施形態の一実施例によれば、前記スライダーは、枢着部に接続されており、固定孔が開けられている頂部と、それぞれ頂部の対向する両側に接続されている２つの斜め部と、それぞれラグ孔を有し、それぞれ２つの斜め部に突出し対応する２つのラグ部と、２つのラグ孔を貫通し、頂部、２つの斜め部及び２つのラグ部と共に開口となるように取り囲み、２つのスライドロッドが開口内に穿設されているラグ連結ロッドと、を含んでもよい。
【００１０】
本考案の一実施形態の一実施例によれば、前記スライダーは、それぞれ２つの斜め部に枢設され、且つスライダーをスライドレールに沿ってスライドさせるように、それぞれ２つのスライドロッドにおいて転がる少なくとも２つの斜め軸受を含んでもよい。
【００１１】
本考案の一実施形態の一実施例によれば、前記スライダーは、それぞれ同軸でラグ連結ロッドに枢設されており、且つスライダーをスライドレールに沿って安定してスライドさせるように、それぞれ２つのスライドロッドにおいて転がる少なくとも２つの縦方向軸受を含んでもよい。
【００１２】
本考案の別の実施形態によれば、スライドレールと、位置決め座用の固定孔を有し且つ枢着部から位置決め座間隔離れている少なくとも１つの位置決め座と、固定孔と、枢着部と、を含み、スライドレールにおいて往復変位するように制限されているスライダーと、センタリング位置決め孔、複数の傾斜位置決め孔、弧状レール、回転軸及び仮想延長線を含み、スライダーを連動させ、弧状レールが回転軸に対応し且つ回転軸から円弧半径離れており、位置決め座間隔が円弧半径と同じであり、弧状レールが位置決め座用の固定孔に対応し、枢着部が回転軸に枢着されており、仮想延長線が回転軸と垂直であり且つセンタリング位置決め孔と交差し、傾斜位置決め孔と回転軸とを繋ぐ線が仮想延長線と交差して夾角をなす回転摺動部材と、回転摺動部材がスライダーに円弧揺動するように制限し、弧状レールと位置決め座用の固定孔を貫通するリミッターと、を備える運動器具を提供する。
【００１３】
本考案の別の実施形態の実施例によれば、前記位置決め座は、位置決め座用の固定孔の深さに対応する位置決め座厚みを含んでもよい。
【００１４】
本考案の別の実施形態の実施例によれば、前記回転摺動部材は、スライダーに対して時計回り方向又は反時計回り方向の円弧揺動を行い、その円弧揺動角度が０°より大きく８０°以下であり、夾角が０°より大きく４０°以下である。
【００１５】
本考案の別の実施形態の実施例によれば、前記スライドレールは、レール間隔離れるように平行に配列された２つのスライドロッドを含み、枢着部は、２つのスライドロッドの間に設けられており、中空の円筒状であり且つ外径がレール間隔より小さく形成されており、回転軸は、円筒状であり且つ外径が枢着部の内径より小さく形成されている。
【００１６】
本考案の別の実施形態の実施例によれば、更に、前記スライダーは、枢着部に接続されており、固定孔が開けられている頂部と、それぞれ頂部の対向する両側に接続されている２つの斜め部と、それぞれラグ孔を有し、それぞれ２つの斜め部に突出し対応している２つのラグ部と、２つのラグ孔を貫通し、頂部、２つの斜め部及び２つのラグ部と共に開口となるように取り囲み、２つのスライドロッドが開口内に穿設されているラグ連結ロッドと、を含んでもよい。
【００１７】
本考案の別の実施形態の実施例によれば、前記スライダーは、それぞれ２つの斜め部に枢設されており、スライダーをスライドレールに沿ってスライドさせるように、それぞれ２つのスライドロッドにおいて転がる少なくとも２つの斜め軸受を含んでもよい。
【００１８】
本考案の別の実施形態の実施例によれば、前記スライダーは、同軸でラグ連結ロッドに枢設されており、且つスライダーをスライドレールに沿って安定してスライドさせるように、それぞれ２つのスライドロッドにおいて転がる少なくとも２つの縦方向軸受を含んでもよい。
【００１９】
以上のように、本考案の上記の１つ又は複数の実施例に係る運動器具は、体の単一部位の筋群を訓練するために、リミッターによって所定の位置における位置決め孔と固定孔を貫通し、回転摺動部材を安定して傾斜位置決めすることができる。更に、特別な弧状レールによって、弧状レールを貫通するように位置決め座用の固定孔に固定されたリミッターに係合することで、使用者が操作の途中で腰部と下半身の力によって回転摺動部材を自由に揺動させることができる。更に、弧状レールによって回転摺動部材の円弧揺動角度を制限できるので、使用者の過大な円弧揺動角度による負傷を防止することができる。また、ダブルスライドロッドのレール間隔によって枢着部を下げらせてその重心をスライドレールに近接させ、更にスライダー及び回転摺動部材が移動又は回転する時の安定性や安全性を大幅に向上させることができる。
【図面の簡単な説明】
【００２０】
【図１】本考案の実施例に係る運動器具を示す斜視模式図である。
【図２Ａ】図１に示した運動器具のスライドレール、スライダー及び回転摺動部材を示す組合模式図である。
【図２Ｂ】図２Ａに示したスライドレール、スライダー及び回転摺動部材を示す分解図である。
【図３】図１に示した回転摺動部材がスライダーにセンタリング位置決めされる様子を示す平面図である。
【図４】図３に示した断面線４−４を示す断面図である。
【図５】図１に示した回転摺動部材を傾斜位置決めする様子を示す模式図である。
【図６】図１に示した回転摺動部材が円弧揺動する様子を示す模式図である。
【図７】本考案の別の実施例のスライダーと回転摺動部材を示す模式図である。
【図８】本考案の別の実施例のスライダーと回転摺動部材を示す模式図である。
【考案を実施するための形態】
【００２１】
以下、図面を参照して本考案の複数の実施例を説明する。明らかに説明するために、多くの実際の細部を下記の叙述で合わせて説明する。しかしながら、理解すべきなのは、これらの実際の細部が、本考案を制限するためのものではない。つまり、本考案の一部の実施例においては、これらの実際の細部は、必要ないものである。また、図面を簡略化するために、ある従来慣用の構造及び素子は、図面において簡単で模式的に示される。また、重複した素子は、同一番号で示されることがある。
【００２２】
図１〜４を併せて参照する。図１は、本考案の実施例に係る運動器具１００を示す斜視模式図である。図２Ａは、図１に示した運動器具１００のスライドレール２００、スライダー３００及び回転摺動部材４００を示す組合模式図である。図２Ｂは、図２Ａに示したスライドレール２００、スライダー３００及び回転摺動部材４００を示す分解図である。図３は、図１に示した回転摺動部材４００がスライダー３００にセンタリング位置決めされる様子を示す平面図である。図４は、図３に示した断面線４−４を示す断面図である。図に示すように、この運動器具１００は、スライドレール２００と、スライダー３００と、回転摺動部材４００と、リミッター５００と、フレーム本体６００と、を備える。
【００２３】
スライドレール２００は、２つのスライドロッド２１０ａ、２１０ｂ、２つの上ストッパー２２０ａ、２２０ｂ及び２つの下ストッパー２３０ａ、２３０ｂを含む。２つのスライドロッド２１０ａ、２１０ｂは、レール間隔Ｄ１離れるように互いに平行に配列される。更に、２つの上ストッパー２２０ａ、２２０ｂは、２つのスライドロッド２１０ａ、２１０ｂの下方に位置するように、それぞれ２つのスライドロッド２１０ａ、２１０ｂの上端に設けられる。この２つの上ストッパー２２０ａ、２２０ｂは、スライダー３００の上向きの変位を止めることに用いられ、つまり、スライダー３００は、最高で上ストッパー２２０ａ、２２０ｂの位置にしか変位できず、且つ２つの上ストッパー２２０ａ、２２０ｂの地面からの距離が同じである。それに対して、２つの下ストッパー２３０ａ、２３０ｂは、２つのスライドロッド２１０ａ、２１０ｂの上方に位置するように、それぞれ２つのスライドロッド２１０ａ、２１０ｂの下端に設けられる。この２つの下ストッパー２３０ａ、２３０ｂは、スライダー３００の下向きの変位を止めることに用いられ、即ち、スライダー３００が最低で下ストッパー２３０ａ、２３０ｂの位置にしか変位できず、且つ２つの下ストッパー２３０ａ、２３０ｂの地面からの距離も同じである。以上から分かるように、スライダー３００は、上ストッパー２２０ａ、２２０ｂと下ストッパー２３０ａ、２３０ｂとの間において往復変位でき、その静止状態（未使用状態）において、スライダー３００が下ストッパー２３０ａ、２３０ｂに当接される。
【００２４】
スライダー３００は、２つのスライドロッド２１０ａ、２１０ｂにおいて往復変位するように制限される。スライダー３００は、頂部３１０と、２つの斜め部３２０ａ、３２０ｂと、４つの斜め軸受３２２ａ、３２２ｂ、３２２ｃ、３２２ｄと、４つのラグ部３３０ａ、３３０ｂ、３３０ｃ、３３０ｄと、２つのラグ連結ロッド３４０ａ、３４０ｂと、４つの縦方向軸受３４２ａ、３４２ｂ、３４２ｃ、３４２ｄと、２つの固定孔３５０ａ、３５０ｂと、枢着部３６０と、位置決め座３７０と、を含む。頂部３１０は、平板状であり、且つ延長方向がスライドロッド２１０ａ、２１０ｂの延長方向に平行な上下の２つの平面を有する。頂部３１０は、枢着部３６０と位置決め座３７０に接続され、何れも頂部３１０の上下の２つの平面を貫通する２つの固定孔３５０ａ、３５０ｂが開けられる。なお、２つの斜め部３２０ａ、３２０ｂは、それぞれ頂部３１０の対向する２つの側辺に接続され、且つ頂部３１０の側辺に沿って下へ傾斜して台形となる。斜め軸受３２２ａ、３２２ｂは、それぞれ２つの斜め部３２０ａ、３２０ｂに枢設され、且つスライダー３００をスライドレール２００にスライドさせるように、両者ともそれぞれ２つのスライドロッド２１０ａ、２１０ｂで傾斜して転がる。
【００２５】
また、斜め部３２０ａのエッジに２つのラグ部３３０ａ、３３０ｃが突出し、且つ斜め部３２０ｂのエッジに２つのラグ部３３０ｂ、３３０ｄが突出する。ラグ部３３０ａ、３３０ｂが互いに対応し、ラグ部３３０ｃ、３３０ｄが互いに対応する。ラグ部３３０ａ、３３０ｂ、３３０ｃ、３３０ｄは、それぞれラグ孔３３２ａ、３３２ｂ、３３２ｃ、３３２ｄを有する。また、ラグ連結ロッド３４０ａが２つのラグ孔３３２ａ、３３２ｂを貫通し、それにより、ラグ連結ロッド３４０ａ、頂部３１０、２つの斜め部３２０ａ、３２０ｂ及び２つのラグ部３３０ａ、３３０ｂによって開口となるように取り囲み、２つのスライドロッド２１０ａ、２１０ｂが開口内に穿設される。同様に、ラグ連結ロッド３４０ｂも２つのラグ孔３３２ｃ、３３２ｄを貫通する。なお、２つの縦方向軸受３４２ａ、３４２ｂが何れも同軸でラグ連結ロッド３４０ａに枢設され、別の２つの縦方向軸受３４２ｃ、３４２ｄが同軸でラグ連結ロッド３４０ｂに枢設される。且つ２つの縦方向軸受３４２ａ、３４２ｃと２つの縦方向軸受３４２ｂ、３４２ｄとがそれぞれ２つのスライドロッド２１０ａ、２１０ｂの下方で転がり、この構造により、スライダー３００をスライドレール２００に沿って安定してスライドさせることができる。なお、枢着部３６０が２つのスライドロッド２１０ａ、２１０ｂの間に設けられ、中空の円筒状となる。枢着部３６０は、外径がレール間隔Ｄ１より小さいので、２つのスライドロッド２１０ａ、２１０ｂの間に貫通して、枢着部３６０の重心をスライドレール２００に近接させ、更にスライダー３００及び回転摺動部材４００が移動又は回転する時に安定性及び安全性を大幅に向上させることができる。また、位置決め座３７０は、位置決め座用の固定孔３７２と位置決め座厚みＴを含む。この位置決め座３７０は、頂部３１０に突出する中空の円筒状となり、リミッター５００を位置決めする役割を果たす。位置決め座用の固定孔３７２の深さが位置決め座厚みＴに対応し、この位置決め座厚みＴが０．５ｃｍより大きく５ｃｍより小さく、本実施例の位置決め座厚みは３ｃｍである。また、位置決め座３７０の中心と枢着部３６０の中心とは、固定孔３５０ｂの中心から枢着部３６０の中心までの距離よりも大きい位置決め座間隔Ｄ２離れる。
【００２６】
回転摺動部材４００は、回転摺動本体４１０、回転軸４２０、センタリング位置決め孔４３０ａ、２つの傾斜位置決め孔４３０ｂ、４３０ｃ、仮想延長線４４０、弧状レール４５０及び当接部４６０を含む。回転摺動本体４１０は、回転軸４２０に固着され且つ長方体である。センタリング位置決め孔４３０ａ、２つの傾斜位置決め孔４３０ｂ、４３０ｃ及び弧状レール４５０の何れも、回転摺動本体４１０を貫通するように、回転摺動本体４１０に設けられる。仮想延長線４４０は、回転軸４２０の中心とセンタリング位置決め孔４３０ａの中心とを繋ぐ線であり、且つ回転軸４２０と垂直である。また、回転軸４２０は、枢着部３６０に枢転可能に接続され、この枢着構造によって回転摺動部材４００がスライダー３００を連動させるようにする。回転軸４２０は、円筒状であり、使用者が回転軸４２０を枢着部３６０に組み込み又はそれから引き抜きやすくするために、その外径が枢着部３６０の内径より小さくされる。なお、傾斜位置決め孔４３０ｂ、４３０ｃがそれぞれ仮想延長線４４０の対向する両側に位置する。傾斜位置決め孔４３０ｂの中心と回転軸４２０の中心とを繋ぐ線が仮想延長線４４０と交差して夾角θをなし、同様に、傾斜位置決め孔４３０ｃの中心と回転軸４２０の中心とを繋ぐ線が仮想延長線４４０と交差して夾角θをなす。この夾角θが０°より大きく４０°以下であり、本実施例の夾角θが２１°である。なお、弧状レール４５０が回転軸４２０に対応し且つ回転軸４２０から円弧半径Ｄ３離れ、この円弧半径Ｄ３がスライダー３００の位置決め座間隔Ｄ２と同じであり、それにより、弧状レール４５０が位置決め座用の固定孔３７２と対応する。また、使用者は、膝を部４６０に当接し、且つ手部、腰部及び腿部の筋群力によって当接部４６０に力を印加し、更に回転摺動部材４００の回転及びスライダー３００のスライドを連動する。
【００２７】
リミッター５００は、リミットロッドと把持部を有する。このリミッター５００はピン又はＴ字型部材であってもよい。リミットロッドは長いロッドであり、把持部は球体である。このリミッター５００の構造の詳細は公知の技術であるため、繰り返し説明しない。
【００２８】
フレーム本体６００は、支持フレーム６１０、肘当接部６２０、ハンドル６３０及び電子プロセッサ６４０を含む。支持フレーム６１０がスライドレール２００に支持し接続される。肘当接部６２０がスライドレール２００の先端に接続され、ハンドル６３０が肘当接部６２０に接続される。電子プロセッサ６４０がスライダー３００及び回転摺動部材４００に電気的に接続される。フレーム本体６００の各部材の接続の詳細と電子プロセッサ６４０の信号伝送制御は、何れも公知の技術であるため、繰り返し説明しない。
【００２９】
図５は、図１に示した回転摺動部材４００を傾斜位置決めする様子を示す模式図である。リミッター５００が傾斜位置決め孔４３０ｂ及び固定孔３５０ｂを貫通する場合、回転摺動部材４００は、スライドレール２００に沿って反時計回り方向に夾角θで傾斜して位置決めされる。それに対して、リミッター５００が傾斜位置決め孔４３０ｃ及び固定孔３５０ｂを貫通する場合、回転摺動部材４００は、スライドレール２００に沿って時計回り方向に夾角θで傾斜して位置決めされる。上記二つの異なる方向の位置決めによって、使用者は、個人の好みに応じて訓練しようとする体の部位を決定することができる。
【００３０】
図６は、図１に示した回転摺動部材４００が円弧揺動する様子を示す模式図である。リミッター５００が弧状レール４５０及び位置決め座用の固定孔３７２を貫通する場合、回転摺動部材４００は、スライダー３００に円弧揺動するように制限され、その円弧揺動角度が弧状レール４５０の回転軸４２０に対応する弧度である。この円弧揺動角度は、０°より大きく８０°以下であってよく、夾角θの２倍である。なお、回転摺動部材４００がスライダー３００に対して時計回り又は反時計回りに円弧揺動でき、使用者は、体の力を利用して回転摺動部材４００の円弧揺動方向を制御することで、運動トレーニングの効果を達成することができる。
【００３１】
図２Ｂと図７を併せて参照する。図７は、本考案の別の実施例のスライダー３００ａと回転摺動部材４００ａを示す模式図である。スライダー３００ａは、１つの固定孔３５０ａと、１つの枢着部３６０と、３つの位置決め座３７０ａ、３７０ｂ、３７０ｃと、を含む。回転摺動部材４００ａは、回転摺動本体４１０、回転軸４２０、センタリング位置決め孔４３０ａ、２つの傾斜位置決め孔４３０ｄ、４３０ｅ、仮想延長線４４０、３つの弧状レール４５０ａ、４５０ｂ、４５０ｃ及び当接部４６０を備える。３つの位置決め座３７０ａ、３７０ｂ、３７０ｃは、それぞれ３つの弧状レール４５０ａ、４５０ｂ、４５０ｃに対応し、且つ何れも各々の位置決め座用の固定孔（図示せず）を有する。なお、傾斜位置決め孔４３０ｄ、４３０ｅと傾斜位置決め孔４３０ｂ、４３０ｃとは、大きさや形状が何れも同じであり、スライダー３００ａでの位置のみが異なり、傾斜位置決め孔４３０ｂ、４３０ｃ及びセンタリング位置決め孔４３０ａが回転軸４２０の対向する両側に位置し、傾斜位置決め孔４３０ｄ、４３０ｅ及びセンタリング位置決め孔４３０ａが回転軸４２０の同側に位置する。注意すべきなのは、３つの弧状レール４５０ａ、４５０ｂ、４５０ｃが回転軸４２０から離れる円弧半径（図示せず）は異なり、使用者は異なる弧状レール４５０ａ、４５０ｂ、４５０ｃを選択して切り替えることによって円弧揺動角度を変え、更に異なる強度の運動トレーニング効果を達成することができる。
【００３２】
図２Ｂと図８を併せて参照する。図８は、本考案の別の実施例のスライダー３００ｂと回転摺動部材４００ｂを示す模式図である。スライダー３００ｂは、固定孔３５０ａ、枢着部３６０及び位置決め座３７０を含む。回転摺動部材４００ａは、回転摺動本体４１０、回転軸４２０、センタリング位置決め孔４３０ａ、２つの傾斜位置決め孔４３０ｄ、４３０ｅ、弧状レール４５０及び当接部４６０を備える。位置決め座３７０が弧状レール４５０に対応し、２つの当接部４６０がそれぞれ回転摺動本体４１０の対向する両側に接続される。このような構造は、メーカーが同じ大きさの回転摺動本体４１０においてより多くの様々なホールやレールを設計して、運動器具１００に多様な調整選択を持たせることができるという利点を有する。なお、当接部４６０が回転摺動本体４１０の対向する両側に位置する場合、使用者は、操作する時に体の重心がスライドレール２００により近く、運動器具１００の安定性及び安全性を更に向上させることができる。注意すべきなのは、図１〜図７に示した当接部４６０と回転摺動本体４１０との接続構造を図８に示した当接部４６０と回転摺動本体４１０との接続構造に設置してもよい。このような当接部４６０と回転摺動本体４１０との接続構造によって、使用者は、安定で安全な状況で、運動トレーニングを行うことができる。
【００３３】
上記実施形態から分かるように、本考案は、以下の利点を有する。
１、体の単一部位の筋群を訓練するために、リミッターによって所定の位置における位置決め孔と固定孔を貫通し、回転摺動部材を安定して傾斜位置決めすることができる。
２、特別な弧状レールによって、弧状レールを貫通するように位置決め座用の固定孔に固定されたリミッターに係合することで、使用者が操作の途中で腰部と下半身の力によって回転摺動部材を自由に揺動させることができる。
３、弧状レールによって回転摺動部材の円弧揺動角度を制限できるので、使用者の過大な円弧揺動角度による負傷を防止することができる。
４、ダブルスライドロッドのレール間隔によって枢着部が下がりその重心がスライドレールに近接し、更にスライダー及び回転摺動部材が移動又は回転する時の安定性や安全性を大幅に向上させることができる。
【００３４】
本考案の実施形態を前述の通りに開示したが、これは、本考案を限定するものではなく、当業者なら、本考案の精神と範囲から逸脱しない限り、多様の変更や修正を加えることができ、したがって、本考案の保護範囲は、実用新案登録請求の範囲で指定した内容を基準とする。
【符号の説明】
【００３５】
１００：運動器具
２００：スライドレール
２１０ａ、２１０ｂ：スライドロッド
２２０ａ、２２０ｂ：上ストッパー
２３０ａ、２３０ｂ：下ストッパー
３００、３００ａ、３００ｂ：スライダー
３１０：頂部
３２０ａ、３２０ｂ：斜め部
３２２ａ、３２２ｂ：斜め軸受
３２２ｃ、３２２ｄ：斜め軸受
３３０ａ、３３０ｂ：ラグ部
３３０ｃ、３３０ｄ：ラグ部
３３２ａ、３３２ｂ：ラグ孔
３３２ｃ、３３２ｄ：ラグ孔
３４０ａ、３４０ｂ：ラグ連結ロッド
３４２ａ、３４２ｂ：縦方向軸受
３４２ｃ、３４２ｄ：縦方向軸受
３５０ａ、３５０ｂ：固定孔
３６０：枢着部
３７０、３７０ａ：位置決め座
３７０ｂ、３７０ｃ：位置決め座
３７２：位置決め座用の固定孔
４００、４００ａ、４００ｂ：回転摺動部材
４１０：回転摺動本体
４２０：回転軸
４３０ａ：センタリング位置決め孔
４３０ｂ、４３０ｃ：傾斜位置決め孔
４３０ｄ、４３０ｅ：傾斜位置決め孔
４４０：仮想延長線
４５０、４５０ａ：弧状レール
４５０ｂ、４５０ｃ：弧状レール
４６０：当接部
５００：リミッター
６００：フレーム本体
６１０：支持フレーム
６２０：肘当接部
６３０：ハンドル
６４０：電子プロセッサ
Ｄ１：レール間隔
Ｄ２：位置決め座間隔
Ｄ３：円弧半径
Ｔ：位置決め座厚み
θ：夾角
【図１】
0003205933.tif 000003
【図２Ａ】
0003205933.tif 000004
【図２Ｂ】
0003205933.tif 000005
【図３】
0003205933.tif 000006
【図４】
0003205933.tif 000007
【図５】
0003205933.tif 000008
【図６】
0003205933.tif 000009
【図７】
0003205933.tif 000010
【図８】
0003205933.tif 000011